(57)【特許請求の範囲】
【請求項１】
凧の対称軸となる中心骨、前記中心骨に直交する主翼の主要部に配置された主翼主骨及び前記中心骨と前記主翼主骨に傾斜して形成する主翼補強骨からなる骨組構造と、該骨組構造に貼り付けた凧紙とを備え、所要の剛性を有する軽量の直線又は曲線形状の発泡樹脂製の板骨を、一方の主翼前縁中央部分から凧の中心先端部分を通り他方の主翼前縁中央部分を覆うように取り付けたことを特徴とする凧。
【請求項２】
主翼補強骨の尾翼近傍に中心骨をはさんで対称に中心補強骨を取り付けたことを特徴とする請求項１記載の凧。
【請求項３】
中心骨は、凧紙に貼り付けた補強不織布上に取り付けたことを特徴とする請求項１又は２記載の凧。
【請求項４】
主翼主骨の中央部分近傍位置に、熱収縮チューブで固定したバネ受けを中心骨をはさんで対称に配設し、該バネ受けによって、棒状のバネを保持したことを特徴とする請求項１、２又は３記載の凧。
【発明の詳細な説明】
【０００１】
【発明の属する技術分野】
本発明は、飛行特性を改善した凧に関し、特に、その製造方法を改善した凧に関するものである。
【０００２】
【従来の技術】
古来より種々の凧が考案され、用いられているが、近年、流体力学、特に、航空力学を設計に取り入れることにより、飛行特性を改善した凧が提案されている（例えば、特開２０００−９８８７８号公報及び特開２０００−２６２７７２号公報参照）。
【０００３】
図４〜図６に、特開２０００−２６２７７２号公報に開示されている凧を示す。
この凧２０は、中心骨２１、主翼主骨２２、主翼前縁骨２３、主翼補強骨２４、主翼中間縦骨２５、尾翼骨２６、主翼延長骨２７、主翼細骨２８、凧紙２９を主要構成部材とし、中心骨２１と主翼主骨２２は、主翼主骨継手３３によって、また、中心骨２１と主翼補強骨２４は、主翼補強骨継手３４によって取り付けられている。３２は、主翼中間補強骨を、３１、３２は、それぞれ、主翼、尾翼を示すものである。
【０００４】
そして、この凧２０は、組み立てに際して、まず、凧紙２９の中心対称軸に中心骨２１を配置する。次に、水平方向の主翼主骨２２を主翼３１の主要部に配置する。中心骨２１と主翼主骨２２、図６（ａ）に示すような樹脂製の主翼主骨継手３３を使って連結し、中心骨２１を中心に屈曲できる構造とする。主翼補強骨２４も同様にして、主翼補強骨継手３４を使って組み立てる。骨材は組み立て次第、凧紙２９に接着し、相互に固定していく。
【０００５】
残りの骨材も同様に接着していき、骨組みが完成したら、図５に示すように、左右の主翼主骨２２をバネ３５とバネ継手３６、３６で上反角θをもたせて組み立てる。図６（ｂ）では、バネ継手３６を鈍角に折り曲げて使用しているが、鋭角に折り曲げて使用する場合もある。
【０００６】
各継手には骨材をはめ込んで固定する複数の穴、又は溝が設けられている。溝は断面が略Ｕ字形であるが、入口が少しせまい馬蹄形にして骨材を固定できるようになっている。
【０００７】
【発明が解決しようとする課題】
ところで、上記特開２０００−２６２７７２号公報に開示されている凧２０は、飛行特性は改善されてはいるものの、実用性の点で以下のような問題を有するものであった。
すなわち、凧２０を構成する骨材のうち、特に、中心骨２１が何ら保護されておらず、凧２０が落下した際に、地面に衝突して破損することが多く、また、組み立てに際して、骨材の固定に、継手を多く用いるため凧の重量がかさみ、飛行特性を悪化させる要因になるとともに、部品点数の増大によりコスト高を招来する等の問題があった。
【０００８】
本発明はかかる問題点に鑑み、凧が落下しても、中心骨が破損することがなく、また、組み立てに際して継手を使わずに、凧の重量を低減し、凧を安価に提供することを目的とする。
【０００９】
【課題を解決するための手段】
上記目的を達成するため、本発明は、凧の対称軸となる中心骨、前記中心骨に直交する主翼の主要部に配置された主翼主骨及び前記中心骨と前記主翼主骨に傾斜して形成する主翼補強骨からなる骨組構造と、該骨組構造に貼り付けた凧紙とを備え、所要の剛性を有する軽量の直線又は曲線形状の発泡樹脂製の板骨を、一方の主翼前縁中央部分から凧の中心先端部分を通り他方の主翼前縁中央部分を覆うように取り付けたことを特徴とする。
【００１０】
上記の構成からなる本発明は、主翼前縁部分を発泡樹脂製の板骨で、中心骨先端を保護するように取り付けるから、凧が飛行中に突風などで落下しても中心骨を破損することはない。
【００１１】
この場合において、主翼補強骨の尾翼近傍に中心骨をはさんで対称に中心補強骨を取り付けることができる。
【００１２】
これにより、尾翼部分の安定を図ることができる。
【００１３】
また、中心骨は、凧紙に貼り付けた補強不織布上に取り付けることができる。
【００１４】
これにより、主翼の中心線に加わる凧糸からの引張力に対して、軽量紙からなる凧紙であっても充分な強度を以て耐えることができる。
【００１５】
また、主翼主骨の中央部分近傍位置に、熱収縮チューブで固定したバネ受けを中心骨をはさんで対称に配設し、該バネ受けによって、棒状のバネを保持することができる。
【００１６】
これにより、バネ受けを主翼主骨に熱収縮チューブで固定するから、バネの取り付けに継手を使う必要がない。
上記の構成からなる第５の発明は、買い主に販売店舗まで出向く手間をかけることなく、凧を購入することができる。
【００１７】
この場合において、バネはグラスファイバ又はカーボンファイバ強化樹脂製の棒とすることができる。
【００１８】
これにより、凧紙に大きな風力が加わっても、バネが大きな変形に強いグラスファイバ又はカーボンファイバ強化樹脂製としたから、バネの変形により必要以上の風力は凧紙に伝わることはない。
【００１９】
【発明の実施の形態】
以下、本発明の凧の実施の形態を図面に基づいて説明する。
【００２０】
図１〜図２に、本発明の凧の一実施例を示す。
この凧１は、従来例と同様、凧の対称軸となる中心骨２、主翼の主要部となる空力中心の近傍に配置された主翼主骨３、板骨４、主翼補強骨５を主要構成部材とし、中心骨２と平行にかつ、板骨４の両端部から中心骨をはさんで対称に主翼中間縦骨１１を、尾翼１６の側方外縁部分の形状保持のための尾翼骨１２を、主翼１５端部の前縁外側部分の形状保持のために主翼細骨１３を、主翼１５の中間部分を補強する主翼中間補強骨１４をそれぞれ、所定の骨組みで、凧紙６上に接着し固定して構成される。
【００２１】
この場合において、板骨４を除く各骨材には、従来と同様に、グラスファイバ又はカーボンファイバ強化樹脂、ヒノキ、ラミン等の木材、中実、中空又は発泡した樹脂材料、竹ひご、ピアノ線等の金属材料等からなる所要の剛性を有する線材を使用する。
また、板骨４は、非直線形状で所要の強度を有する発泡樹脂シート部材により構成し、主翼１５前縁中央部分から凧の中心先端部分を通り、他方の主翼１５前縁中央部分を覆うように取り付けるようにする。この板骨４を構成する発泡樹脂シート部材は、特に限定されるものではないが、例えば、発泡樹脂シートの裏面に剥離紙を配した両面貼着材（両面テープ）を貼着したものを打ち抜き等により切り抜いて形成することが好ましい。
【００２２】
また、主骨主骨３は、中心骨２をはさんで対称に取り付けた取付部材７ａ、７ｂ、７ｃ、７ｄ、７ｅ（以下、総称して「取付部材７」という。）を介して取り付けるようにする。この場合、取付部材７の高さは、中心骨２、主翼補強骨５、主翼中間縦骨１１、主翼中間補強骨１４の高さよりも大きき形成する。また、取付部材７は、立方体の木材（ヒノキ、ラミン等）を以て構成するが、材質は木材に限られるものではない。
【００２３】
また、主翼補強骨の尾翼近傍に中心骨をはさんで対称に、尾翼１６の安定性向上のために板状の中心補強骨１７を設ける。
【００２４】
１８は、凧紙の中心線に沿って貼り付ける補強不織布を示し、これにより、凧糸から受ける引張力に対しても凧紙が破損することなく充分な強度を保つことができる。
【００２５】
さらに、左右の主翼１５に、一定の上半角をもたせるためのグラスファイバ又はカーボンファイバ強化樹脂等からなる棒状のバネ８の取り付ける。
バネ８の長さと直径及び強度は、凧の主翼主骨３に許容限度の風力が加わった場合に大きく変形し、風圧がそれ以上には主翼主骨３に加わらない程度のもので、例えば、凧の翼面積が、１．２ｍ２以下の場合にあっては、ポリエステルやナイロン等の化繊糸＃１００の強度限度の風力が加わった場合に大きく変形し、風圧がそれ以上凧紙に加わらない程度のものを用いることが好ましい。
【００２６】
この棒状のバネ８は、図２に示すように、主骨主骨３の中央部分近傍位置に、中心骨２をはさんで対称に配設するようにするが、このとき、熱収縮チューブ１０で固定した中空構造のバネ受け９を図２（ｂ）で示すように、内向きに折り曲げ、棒状のバネ８を矢符Ｙの方向から差し込むようにして取り付けるようにする。
【００２７】
次に、凧の販売方法に関して説明する。
【００２８】
この凧の販売方法は、上記凧１を、各構成部材の状態でセットにして販売するもので、この場合、凧紙６を、例えば、複数種類梱包し、各骨材の長さを凧紙６に表される最大の模様に合わせておけば、それ以外の模様を利用する際には各骨材を切断して利用することができる。
また、発泡樹脂シート部材で構成される板骨４も複数種類の模様に応じて梱包するか、シート状で梱包することにより、買い主は、好みの凧を製作することができる。
【００２９】
このほか、買い主が、例えば、自宅のパーソナルコンピュータから、インターネット回線やパソコン通信回線を利用して、所望サイズの凧をコンピュータから入力し、送信データＡとして売り主のコンピュータに送信する。
売り主は、かかるデータに応じた凧を買い主に、ルートＣを介して配達するもので、凧のサイズや模様を売り主のコンピュータの記憶媒体に蓄積し、かかるデータを買い主に閲覧可能な状態にしたものを買い主に閲覧させて必要なデータを入力させるほか、売り主が、カタログや書籍に予め販売可能な凧のサイズや模様を記載したものを発行し、買い主は、かかる記載からデータ入力をしても良く、この場合、買い主は、パーソナルコンピュータを用いることなく、葉書やファクシミリにより所望のサイズを売り主に連絡したり、一般電話回線の番号案内サービスを利用して所望の凧のデータを送信することもできる。
【００３０】
上記凧の販売方法においては、セット内の凧紙を無模様とし、セット内に、種々の模様画像を記憶したコンピュータで読み込み可能な可搬記憶媒体を、セット内に添付して販売することができる。
この際、無模様の凧紙は、一般家庭用のパーソナルコンピュータに接続されることの最も多い、Ａ４サイズに分割してセット内に梱包することが好ましい。
【００３１】
さらに、上記凧の販売方法においては、セット内の凧紙を無模様とし、買い主が、例えば自宅のパーソナルコンピュータから、インターネット回線やパソコン通信回線を利用して、売り主のコンピュータに蓄積された種々の模様画像データから、所望の模様をコンピュータ入力し、送信データＡとして売り主のコンピュータに送信する。
売り主側のコンピュータは、かかるデータに応じた模様のデータを売り主のコンピュータより送信データＢとして、買い主のコンピュータに送信し、自宅のパーソナルコンピュータを用い印刷利用することができる。
【００３２】
この際、売り主のコンピュータに上記データを蓄積する代わりに、売り主がカタログや書籍に予め種々の模様を記載したものを発行し、買い主は、発行されたカタログや書籍からデータを入力することもできる。
【００３３】
以上、本発明の凧について、その実施例に基づいて説明したが、本発明は上記実施例に記載した構成に限定されるものではなく、その趣旨を逸脱しない範囲において適宜その構成を変更することができるものである。
【００３４】
【発明の効果】
本発明によるときは、主翼前縁骨を非直線形状の所要の強度を有する発泡樹脂シート部材とすることにより、凧の種々の形状に対応した主翼前縁骨を作ることができるとともに、凧が落下しても、中心骨が破損することがない。
【００３５】
また、主翼補強骨の尾翼近傍に中心骨をはさんで対称に中心補強骨を取り付けることにより、尾翼部分の安定と性能の向上を図ることができる。
【００３６】
また、中心骨を、凧紙に貼り付けた補強不織布上に取り付けることにより、主翼の中心線に加わる凧糸からの引張力に対して、軽量紙からなる凧紙であっても充分な強度を以て耐えることができる。
【００３７】
また、主翼主骨の中央部分近傍位置に、熱収縮チューブで固定したバネ受けを中心骨をはさんで対称に配設し、該バネ受けによって、棒状のバネを保持することにより、バネ受けは主翼主骨に強固に取り付けられ、バネの張力によって位置がずれることはない。
【図面の簡単な説明】
【図１】  本発明の凧の一実施例を示す正面図である。
【図２】  同バネ受けの取り付けを説明する斜視図である。
【図３】  凧の販売方法の一実施例を示し、インターネット等の通信回線を利用した販売方法の説明図である。
【図４】  従来の凧の正面図である。
【図５】  同凧にバネを取り付けた状態を示す斜視図である。
【図６】  同凧の骨組みに用いる継手の構造を示す斜視図である。
【符号の説明】
１    凧
２    中心骨
３    主翼主骨
４    板骨
５    主翼補強骨
６    凧紙
７    取付部材
８    バネ
９    バネ受け
１０  熱収縮チューブ
１７  中心補強骨
１８  補強不織布
【図１】
0003699677.tif 000002
【図２】
0003699677.tif 000003
【図３】
0003699677.tif 000004
【図４】
0003699677.tif 000005
【図５】
0003699677.tif 000006
【図６】
0003699677.tif 000007